(57)【要約】【課題】  観賞する際に風情があり、育成植物を培地に容易に定着できる観賞植物用立体的育成体を提供することである。【解決手段】合成樹脂および／または木材からなる基体と、植栽を育成するための基体に設けられた培地用凹部と、培地用凹部内の水を排水する排水路とからなることを特徴とする観賞植物用立体的育成体。排水路が確保されているので根腐れを防止でき、植栽の培地への育成が容易となる。基体は発泡合成樹脂であることが好ましい。【選択図】図１
2011160786.tif 000002
【特許請求の範囲】
【請求項１】
合成樹脂および／または木材からなる基体と、植栽を育成するための基体に設けられた培地用凹部と、培地用凹部内の水を排水する排水路とからなることを特徴とする観賞植物用立体的育成体。
【請求項２】
基体が発泡合成樹脂であることを特徴とする請求項１に記載の観賞植物用立体的育成体。
【請求項３】
請求項１または請求項２に記載の観賞植物用立体的育成体を製造するための方法であって、
合成樹脂および／または木材からなる基体を構成する分割素材に、培地用凹部および／または培地用凹部の一部分と、排水路および／または排水路の一部分とを設けて、複数個の基体分割部材を得る工程と、
複数個の基体分割部材を一体に組み合わせることにより、培地用凹部と排水路とを形成し、鑑賞植物用立体的育成体を得る工程とからなることを特徴とする製造方法。
【発明の詳細な説明】
【技術分野】
【０００１】  この発明は多数の植木や花等を立体的に陳列する観賞植物用立体的育成体に関する。
【背景技術】
【０００２】  従来は植物の根を張り付けて観賞するための素材として、大木の切れ端や根株や岩石の凹みなどの自然素材を使用したものが知られている。また自然素材を利用する代わりに、特開２００２−１５３１３０号公報に記載されているような、円筒の円周部に植木鉢取付針金を円筒を上下に連結させる状態で複数接着し、その植木鉢取付針金に植木鉢を上から嵌め込み陳列する時に、植木鉢を少しづつ回転下降させることでこの植木鉢の底部にある水抜き穴から進入する先端が螺旋状でその延長線がＶ字形をした植木鉢固定兼用滴水誘導針金を、螺旋より滴ってくる水がＶ字の底点から陳列された植木鉢に落下しないような位置に接着した陳列棚などが知られている。
【先行技術文献】
【特許文献】
【０００３】
【特許文献１】  特開２００２−１５３１３０号公報
【発明の概要】
【発明が解決しようとする課題】
【０００５】  自然素材を生かしたものは観賞する際に風情があるものの、植物の育成に適した素材が少なく美観を整えるための加工が困難なことや、育成植物を培地に定着させるのが難しく、多大な労力と技術を必要とするなどの問題があった。また、陳列棚を利用したものは人工的な構成となるため自然を感じさせる風情が失われてしまうという欠点があった。
本発明の目的は、観賞する際に風情があり、育成植物を培地に容易に定着できる観賞植物用立体的育成体を提供することにある。
【課題を解決するための手段】
【０００６】  請求項１の発明は、合成樹脂および／または木材からなる基体と、植栽を育成するための基体に設けられた培地用凹部と、培地用凹部内の水を排水する排水路とからなることを特徴とする観賞植物用立体的育成体である。【０００７】    請求項２の発明は、請求項１に記載の基体が発泡合成樹脂であることを特徴とする観賞植物用立体的育成体である。【０００８】    請求項３の発明は、請求項１または請求項２に記載の観賞植物用立体的育成体を製造するための方法であって、
合成樹脂および／または木材からなる基体を構成する分割素材に、培地用凹部および／または培地用凹部の一部分と、排水路または排水路の一部分とを設けて、複数個の基体分割部材を得る工程と、
複数個の基体分割部材を一体に組み合わせることにより、培地用凹部と排水路とを形成し、鑑賞植物用立体的育成体を得る工程とからなることを特徴とする製造方法である。
【発明の効果】
【０００９】      請求項１の発明では、育成植物を排水性に優れた培地に定着させるので、育成植物を培地に定着させるのに多大な労力と技術を必要とすることなく、簡便に定着させることができる。【００１０】      請求項２の発明では、基体に発泡合成樹脂を使用しているため簡易に加工ができるので、自然素材の岩石や木の根などに似せた形態に加工することで、自然素材の風情を再現することができる。【００１１】      請求項３の発明の製造方法によると、上記の観賞植物用立体的育成体を容易に製造することができる。
【図面の簡単な説明】
【００１２】
【図１】本発明の一例の内部構造を概念的に示す断面図である。
【図２】本発明の一例を使用した状態を概念的に示す斜視図である。
【発明を実施するための形態】
【００１３】    以下、図面を参照しながら本発明の形態を説明する。図１は、図２のＡ−Ａ断面を表す図面であり、図１では図２に記載されている水盤を省略している。
（１）は観賞植物用立体的育成体の基体（１）であり、合成樹脂および／または木材からなるものである。合成樹脂、木材およびこれらの混合のいずれでもよいが、加工の容易さの面では木よりも合成樹脂の方が更に好ましい。
合成樹脂は、加工性などの観点から、発泡合成樹脂が好ましい。
このような合成樹脂としては、発泡ポリスチレン（発泡スチロール）、発泡ポリエチレン、発泡ポリプロピレンおよび発泡ポリウレタンなどが挙げられるが、同様の成形性、加工性を備えるものであれば良い。
【００１４】  基体（１）は、自然素材（大木の切れ端や根株や岩石の凹みなど）に模倣した形状に加工可能で、加工することにより自然素材の風情を再現できる。
加工方法は、公知の方法が適用でき、切削、掘削、切断、などの方法の他、射出成型等の一般的な樹脂加工方法でもよい。
【００１５】  植栽を育成するための基体（１）に設けられた培地用凹部（２）は、観賞用植物を育成するための培地を保持できれば、形状に制限はなく、円筒状、角型などでもよい。培地用凹部（２）の大きさも育成する観賞用植物の種類、大きさなどにより適宜決定できる。
培地用凹部（２）の数は、鑑賞性を考慮した風情などにより適宜決定できる。
培地用凹部（２）の数が複数個ある場合、その大きさ、位置は、植物の種類、大きさや風情などにより適宜決定できる。
【００１６】  排水路（３）は培地用凹部（２）に連結して設けられ、培地用凹部（２）内の水を排水するため培地用凹部（２）の底部から、観賞植物用立体的育成体の外部へ排出できるように設けられる。
排水路（３）の大きさ（太さ）は、培地用凹部に保持された培地から余剰の水が排水できれば制限がなく、植物の種類などにより適宜決定できる。このように排水路（３）により排水性を高めることで、植栽の根腐れを防止し培地への定着性を向上できる。
【００１７】    本発明の観賞植物用立体的育成体の製造方法に制限はないが、簡便性などの観点から、以下の工程を含む方法によることが好ましい。
【００１８】（工程１）合成樹脂および／または木材からなる基体を構成する分割素材に、培地用凹部および／または培地用凹部の一部分と、排水路または排水路の一部分とを設けて、複数個の基体分割部材を得る工程
【００１９】  上記基体分割部材は少なくとも１対の基体分割部材を組み合わせる態様で説明しているが、２組以上の複数の基体分割部材を、最終の観賞植物用立体的育成体を再現できるように各々加工できる。
培地用凹部の一部分を設ける場合、培地用凹部の一部分は接合する他方の培地用凹部の一部分と対応する位置に設ける。
排水路の一部分を設ける場合も、排水路の一部分は接合する他方の排水路の一部分と対応する位置に設ける。
【００２０】  培地用凹部（２）および／または培地用凹部の一部分と、排水路（３）または排水路の一部分とを設ける方法は、切削、掘削、切断等の公知の加工方法が適用できる。
【００２０】  （工程２）複数個の基体分割部材を一体に組み合わせることにより、培地用凹部と排水路とを形成し、鑑賞植物用立体的育成体を得る工程
【００２０】  培地用凹部の一部分および／または排水路の一部分を設ける場合、培地用凹部の一部および／または排水路の一部分は他方の培地用凹部の一部および／または排水路の一部分と対応する位置になるようにして、基体分割部材を組み合わせる。組み合わせにより、培地用凹部（２）や排水路（３）が形成される。
【００２１】  組み合わせる方法として、接着剤を用いる方法の他、基体分割部材の各々に凹凸を設けて嵌合させる方法、他の結合部材を用いてボルトやビスなどにより固定させる方法などが適用できる。
【００２２】  以上の製造方法の他、完成形態の基体に培地用凹部（２）や排水路（３）を直接加工して形成してもよい。
観賞植物用立体的育成体を得たのち、自然素材の風情を表現するなどのために、最終仕上げ（研磨、塗装など）してもよい。
【００２３】  本発明の観賞植物用立体的育成体は、培地用凹部に培地（土など）を装填し、植物または植物の種子または球根などを植え付けることができる。
【符号の説明】
【００２２】  １  基体
２  培地用凹部
３  排水路
【図１】
2011160786.tif 000003
【図２】
2011160786.tif 000004